(57)【要約】【課題】蛍光灯の熱伸縮を吸収でき、且つ、蛍光灯のたわみなどによって発生する、蛍光灯のガラス管と芯線との接合部分にかかる曲げ力を回避できるバックライト用コネクタを提供する。【解決手段】電源基板６０に電気的に接触しうる第一端子４０をハウジング２１内に固定し、この第一端子４０に対して、蛍光灯３０の軸線方向に摺動可能に接続する第二端子５０をハウジング２１内にフローティング支持させ、この第二端子５０は、蛍光灯３０のガラス管３２と芯線３１の夫々を挟持するガラス管挟持部５１と芯線挟持部５２とを同軸線上に備え、導電性弾性材で一体に形成された事を特徴とする。【選択図】図４
2010140776.tif 000002
【特許請求の範囲】
【請求項１】
ガラス管３２と、このガラス管３２の端部から突出する芯線３１とを有するバックライトとしての蛍光灯３０が着脱されるバックライト用コネクタ２０であって、
該バックライト用コネクタ２０は、ハウジング２１内に固定される第一端子４０と、該ハウジング２１内にフローティング支持される第二端子５０とを備え、      
上記第一端子４０は、電源基板６０に電気的に接触しうる電源接触部４３と、上記第二端子５０に電気的に接触しうるランス受部４１を備え、
上記第二端子５０は、連結板５３ａとそれに連なる一対の側板５３ｂとで構成された基部５３と、該連結板５３ａに連なり、上記第一端子４０のランス受部４１に対して蛍光灯３０の軸線方向に摺動可能に接触しうるランス５５と、該側板５３ｂに連なり、蛍光灯３０のガラス管３２を挟持しうるガラス管挟持部５１と、該側板５３ｂに連なり、蛍光灯３０の芯線３１を挟持しうる芯線挟持部５２とを備え、それらは導電性弾性材で一体に形成されており、
上記ガラス管挟持部５１及び芯線挟持部５２は同軸線上に備えられると共に、各々対向するガラス管挟持片５１Ｈ及び芯線挟持片５２Ｈで構成された事を特徴とするバックライト用コネクタ２０。
【請求項２】
該ガラス管挟持片５１Ｈは、一方の側板８３ｂに連接され他方の同側板８３ｂ方向に延ばした連結部８１ａと、該連結部８１ａの先に連結された抱き込み部８１ｂから成り、
前記芯線挟持部８２は、互いに交差する如く配された芯線挟持片８２Ｈから成り、
該芯線挟持片８２Ｈは、一方の側板８３ｂに連接され他方の同側板８３ｂ方向に延ばした連結部８２ａと、該連結部８２ａの先に連結された抱き込み部８２ｂから成り、
上記一対の側板８３ｂの先端には、摘む事が可能なレバー８７が夫々設けられ、
対向する上記ガラス管挟持片５１Ｈ及び芯線挟持片８２Ｈの各々は、上記レバー８７を近接させることによって離間するようにした事を特徴とする請求項１に記載のバックライト用コネクタ７０。
【発明の詳細な説明】
【技術分野】
【０００１】
本発明は、液晶ディスプレイ等に備えられる、バックライト用コネクタに関するものである。          
【背景技術】
【０００２】
例えば、液晶テレビのディスプレイの背面にあってそこを照射するバックライトとしての蛍光灯は、その直径が２．６乃至５．０ｍｍと言った極細のもので、多数本、ディスプレイに近接して平行に配設されている。そして、この蛍光灯が電力の供給を受けるためにそこから外部に引き出されている芯線は、従来、電源に連なる電源線、電源基板等に直接          はんだ付けされていた。しかし、このような芯線のはんだ付け工程は極めて煩雑で、液晶ディスプレイの生産性を阻害する事になっていた。
【０００３】
これを解決するために、特許文献１では、バックライト用コネクタとして、前記蛍光灯がセットされるコネクタハウジングと、同ハウジングに開閉自在に軸支されたアクチュエータと、同ハウジングに装着され蛍光灯の芯線を挟持する一対の接点部が形成された端子とを備え、該アクチュエータには、その開時に端子を弾性変形させて上記接点部の間隔を広げ、閉時に弾性変形された端子が元に戻る事を利用して上記接点部の間隔を狭めるカム部を設けた発明が記載されている。
【０００４】
この発明によれば、アクチュエータを開いて蛍光灯を上記ハウジングにセットするときには、カム部によって上記接点部の間隔が広げられた状態となっているため、同接点部の間に蛍光灯の芯線を進入させる事ができ、その後、アクチュエータを閉じると、カム部が端子から離脱するため、端子の弾性力によって接点部の間隔が元の状態まで狭まり、同接点部に上記芯線が挟持されて電気的接続が得られる。よって、液晶ディスプレイの生産性を阻害する要因となるはんだ付け作業が不要となる。
【０００５】
【特許文献１】特開２００５−２５９３７０号公報
【発明の開示】
【発明が解決しようとする課題】
【０００６】
ところで、上記蛍光灯は、点灯時にはそれ自身が発熱してその長手方向（蛍光灯の軸方向）に熱膨張するものの、消灯されるとその熱を周囲に放出して収縮する。にも拘わらず、上記特許文献１の発明では、蛍光灯の熱伸縮に対する考慮がなされていないため、上記熱伸縮による応力（熱応力）が蛍光灯に繰り返し作用する事になり、前述のように細径で脆弱なそのガラス管が破損するおそれがある。
【０００７】
又、上記コネクタは蛍光灯の芯線のみを端子の接点部によって挟持する構造になっているため、例えば同コネクタを組み込んだ液晶テレビの搬送時、振動や衝撃が加わり、その慣性によって前記ガラス管にたわみが生じ、そのためガラス管と芯線との接合部分に曲げ力が集中し、そこにクラックが生じるおそれがある。
【０００８】
以上の事情を考慮して創案された本発明の目的は、蛍光灯の熱伸縮を吸収すると共に、ガラス管と芯線との接合部分にかかる曲げ力を回避できるバックライト用コネクタを提供する事にある。  
【課題を解決するための手段】
【０００９】
本発明は、ガラス管３２と、このガラス管３２の端部から突出する芯線３１とを有するバックライトとしての蛍光灯３０が着脱されるバックライト用コネクタ２０であって、該バックライト用コネクタ２０は、ハウジング２１内に固定される第一端子４０と、該ハウジング２１内にフローティング支持される第二端子５０とを備え、上記第一端子４０は、電源基板６０に電気的に接触しうる電源接触部４３と、上記第二端子５０に電気的に接触しうるランス受部４１を備え、上記第二端子５０は、連結板５３ａとそれに連なる一対の側板５３ｂとで構成された基部５３と、該連結板５３ａに連なり、上記第一端子４０のランス受部４１に対して蛍光灯３０の軸線方向に摺動可能に接触しうるランス５５と、該側板５３ｂに連なり、蛍光灯３０のガラス管３２を挟持しうるガラス管挟持部５１と、該側板５３ｂに連なり、蛍光灯３０の芯線３１を挟持しうる芯線挟持部５２とを備え、それらは導電性弾性材で一体に形成されており、上記ガラス管挟持部５１及び芯線挟持部５２は同軸線上に備えられると共に、各々対向するガラス管挟持片５１Ｈ及び芯線挟持片５２Ｈで構成された事を特徴とするものである。
【００１０】
前記ガラス管挟持部５１は、互いに交差する如く配された複数のガラス管挟持片８１Ｈから成り、該ガラス管挟持片８１Ｈは、一方の側板８３ｂに連接され他方の同側板８３ｂ方向に延ばした連結部８１ａと、該連結部８１ａの先に連結された抱き込み部８１ｂから成り、前記芯線挟持部８２は、互いに交差する如く配された複数の芯線挟持片８２Ｈから成り、該芯線挟持片８２Ｈは、一方の側板８３ｂに連接され他方の同側板８３ｂ方向に延ばした連結部８２ａと、該連結部８２ａの先に連結された抱き込み部８２ｂから成り、上記一対の側板８３ｂの先端には、指で摘む事が可能なレバー８７が夫々設けられ、対向する上記ガラス管挟持片５１Ｈ及び芯線挟持片８２Ｈの各々は、上記レバー８７を近接させる事によって離間するようにしたものであっても良い。
【発明の効果】
【００１１】
本発明に係るバックライト用コネクタによれば、蛍光灯の点灯、消灯に伴う熱伸縮を吸収すると共に、ガラス管にかかるたわみなどによって、ガラス管と芯線との接続部に生じる曲げ力を回避する事ができる。
【発明を実施するための最良の形態】
【００１２】
以下、本発明の第一の実施形態について添付図面を参照して説明する。
【００１３】
図１から明らかなように、フレーム１０には、本実施形態に係るバックライト用コネクタ（以下コネクタ）２０が複数並設されており、各コネクタ２０には、バックライトとしての蛍光灯３０が装着されている。本実施形態では、同コネクタが上記フレームに直接取り付けられているが、これに限らず、同コネクタを液晶ディスプレイのシャシなどに取り付けても良い。
【００１４】
図２に示すようにコネクタ２０は、前記フレーム１０に固定されるハウジング２１と、同ハウジングに固定され、電源基板６０に電気的に接触しうる第一端子４０と、同第一端子に摺動可能に接続しつつ同ハウジング内にフローティング支持され、蛍光灯３０を挟持しうる第二端子５０とを備えている。
【００１５】
ハウジング２１は合成樹脂製の一体成形品であり、図３に示すように、正面壁２２ａ、側面壁２２ｂ、背面壁２２ｃ及び底面壁２２ｄに囲まれ、上面２２ｅの無い直方体から成る主体部２１ｓと、同主体部から延設されたフランジ２１ｆとで構成されている。
【００１６】
図３乃至図５に示すように、このフランジ２１ｆより下方に位置する上記主体部２１ｓ：主体下部２１ｂの正面壁２２ａには、電源基板６０の凸状部６１が挿抜される挿入窓２３が形成され、該挿入窓から上記背面壁２２ｃ方向（Ｘ方向）に向かっては、後述する如く上記凸状部を上方から受け止める基板受部２７が形成されている。又、背面壁２２ｃ付近には、第一端子４０が圧入されるスリット状の端子圧入溝２６が垂直方向(Ｚ方向)に形成されている。そして、フランジ２１ｆより上側の主体上部２１ａには、後述する第二端子５０のスライド爪５４が送り込まれるレール２４が水平方向(Ｘ方向)に形成される。同レールの上下方向（Ｚ方向）及び左右方向（Ｙ方向）の寸法は、スライド爪５４のそれよりも大きく設定されている。さらに背面壁２２ｃには、芯線３１の衝突を回避するための欠落部２５が形成されている。この欠落部２５によって、蛍光灯３０の熱膨張による芯線３１と背面壁２２ｃとの衝突を避ける事ができる。  
【００１７】
かかるハウジング２１は、図１に示すようにフレーム１０に形成された矩形の孔１０ａに上方から押し込まれ、そこに固定される。
【００１８】
第一端子４０は、図３、図５に示すように、第二端子５０が摺動可能且つ電気的に接続するランス受部４１と、そこから下方(Ｚ方向)に連なる幅広部４２と、その下端から水平方向(Ｘ方向)に延びて電源基板６０に電気的に接触しうる電源接触部４３とを備え、それらは導電性弾性材で一体に形成されている。又、幅広部４２は前記端子圧入溝２６に圧入される圧入部４２ａを左右の端部に備える。
【００１９】
ランス受部４１は、幅広部４２の上端から前記正面壁２２ａ方向（Ｘ方向）に延びた基部４１ａと、同基部の先端から前記背面壁２２ｃ方向（Ｘ方向）にＵターンさせて山形に形成された凸部４１ｂと、同凸部の下端からさらに同背面壁方向に延びた当接部４１ｃとから形成され、同当接部には弾性が付与されている。
【００２０】
電源接触部４３は、幅広部４２の下端からＬ字型に延びた基部４３ａと、同基部の先端から延び山形に形成された凸部４３ｂとから形成されており、同凸部には弾性が付与されている。
【００２１】
第二端子５０は、図３、図４に示すように、連結板５３ａとそれに連なる一対の側板５３ｂから成る断面略「コ」の字状の基部５３と、同側板から上方（Ｚ方向）に各々延設され、蛍光灯３０のガラス管３２と芯線３１の夫々を挟持するガラス管挟持部５１と芯線挟持部５２とを同軸線上に備える。さらに同第二端子は、同側板の下端に連結され且つ水平方向（Ｙ方向）外側に延びる一対のスライド爪５４と、上記連結板の上端から前記背面壁２２ｃ方向（Ｘ方向）へ折り返されるばね部５６と、同連結板の下端に連結され前記正面壁２２ａ方向（Ｘ方向）斜め下方に延びるランス５５とを備え、それらは導電性弾性材で一体に形成されている。
【００２２】
上記ガラス管挟持部５１及び芯線挟持部５２は逆U型を呈し、両挟持部とも下端において基部５３の側板５３ｂに連なる一対のガラス管挟持片５１Ｈ及び芯線挟持片５２Ｈより成る。この夫々の両挟持片５１Ｈ，５２Ｈは、基部５３に連結する連結部５１ａ，５２ａ、蛍光灯３０のガラス管３２並びに芯線３１とほぼ同等の曲率を備えていてそれらを挟持する抱き込み部５１ｂ，５２ｂ、これと逆の方向に湾曲した誘い込み部５１ｃ，５２ｃを夫々有している。そして、夫々対向する上記抱き込み部によって囲まれた空間は、上記ガラス管及び芯線よりも狭くなっているので、同ガラス管及び芯線は上記挟持片のスプリング作用により挟持される。
【００２３】
ランス５５は図４から明らかな様に、基部５３の連結板５３ａの下端に連結された傾斜部５５ａと、同傾斜部の先端に連なりランス受部４１の当接面４１ｃに弾接する先端部５５ｂを備える。
【００２４】
以上述べたハウジング２１、第一端子４０、第二端子５０は、次のようにして組み立てられ、コネクタ２０となる。
【００２５】
先ず、第一端子４０をハウジング２１の主体部２１ｓの上面２２ｅから下方に向かって挿入し、端子圧入溝２６に圧入部４２ａを圧入する。これにより同第一端子は同ハウジング内に固定され、電源接触部４３が基板挿入窓２３に臨むように、又、ランス受部４１の凸部４１ｂが同上面側に突出するように位置付けされる。
【００２６】
次に第二端子５０のスライド爪５４をハウジング２１の主体上部２１ａのレール２４に嵌め込み前記背面２２ｃ方向（Ｘ方向）にスライドさせていくと、やがてランス５５が変形しながらランス受部４１の凸部４１ｂを乗り越え、先端部５５ｂが当接部４１ｃに、ばね部５６が背面壁２２ｃに、夫々弾接した状態で第二端子５０は位置付けられ、こうしてコネクタ２０の組み立てが完了する。
【００２７】
この時、前述のようにレール２４の寸法はスライド爪５４よりも大きく設定されているので、同スライド爪の周囲にはクリアランスができ、よって第二端子はハウジング２１内に遊嵌される。それと共に、ランス５５とランス受部４１による弾接構造を介在させる事によって、遊嵌された第二端子５０は、上面２２ｅ側に押し上げられ、ハウジング２１内にフローティング支持された状態となっている。
【００２８】
又、第二端子５０は、ランス受部４１の凸部４１ｂとランス５５の先端部５５ｂ及び、ばね部５６と背面壁２２ｃとが夫々弾接する事により、蛍光灯３０の軸方向（Ｘ方向）への位置決めがなされ、蛍光灯３０の熱膨張による同第二端子の前記背面壁２２Ｃ側（Ｘ方向）への移動対しては、同ばね部が撓む事によって吸収する。
【００２９】
そして第二端子５０はハウジング２１内にフローティング支持され、且つガラス管挟持部５１と芯線挟持部５２とが一体に形成されているので、前述のようにガラス管３２にたわみが発生しても、同第二端子はそのたわみに追従して動くことができ、よって上記ガラス管と芯線の接合部分に曲げ力が集中する事が避けられ、クラック等の破損を防止する事ができる。
【００３０】
斯様なコネクタ２０に蛍光灯３０を装着するときには、図２、図３に示すように、ガラス管挟持部５１の誘い込み部５１ｃの上にガラス管３２を、芯線挟持部５２の誘い込み部５２ｃの上に芯線３１を夫々載置し、図示せぬ専用ジグを用いて下方に押し込む。すると、夫々の挟持片５１Ｈ，５２Ｈがガラス管３２及び芯線３１の進入によって弾性的に外側に押し開かれ、同ガラス管及び芯線が各抱き込み部５１ｂ、５２ｂに降下する事が許容される。この時、蛍光灯３０には挿入力が加わるため、上記専用ジグを用いて同ガラス管と芯線を同時に押し込み、剛性の弱い同芯線の変形を防止する。そして同ガラス管及び芯線が同抱き込み部まで降下した後、弾性変形した同挟持片５１Ｈ，５２Ｈが復元して同ガラス管及び芯線を抱き込む。こうして、蛍光灯３０の装着が完了する。
【００３１】
電源部材６０には、長手方向に間隔を隔てて複数の凸状部６１が形成されており、図５に示す如く、これら凸状部がハウジング２１の挿入窓２３に挿入され、同挿入窓に臨むように位置付けられた電源接触部４３の凸部４３ｂに弾接する事により、第一端子４０と同電源部材が導通する。そして、この弾接により上方へ押し上げられた同凸状部は、その端部６１ａが前記基板受部２７に当接する事により受け止められている。従って、はんだ付け作業は当然必要ない。
【００３２】
次に、本発明の第二の実施形態について添付図面を参照して説明する。
【００３３】
図６乃至図８に示すように、第二の実施形態にかかるコネクタ７０は、前記フレーム１０に固定されるハウジング７１と、同ハウジングに固定され、前記電源基板６０に電気的に接触しうる第一端子４０と、同第一端子に摺動可能に接続しつつ同ハウジング内にフローティング支持され、蛍光灯３０を挟持しうる第二端子８０とを備えている。この第一端子４０については第一の実施形態と同じであり、よって以降は異なる部分のみを詳細に説明し、それ以外については説明を省略する。
【００３４】
図６に示すように、上記第二端子８０は前述の第一の実施形態と同様、ガラス管挟持部８１、芯線挟持部８２、連結板８３ａ、側板８３ｂ、スライド爪８４、ランス８５、ばね部８６などを備える他、特に後述の如き一対のレバー８７を有している。このレバー８７は上記側板の先端から外側（Ｙ方向）折り曲がるように取り付けられた後、さらにＸ方向に折り曲げられている。
【００３５】
そして、ハウジング７１の正面壁７２ａにはレバー欠損部７６が設けられ、図７のように第二端子８０がハウジング７１に取り付けられた状態において、レバー８７はそのレバー欠損部７６に嵌め込まれる。
【００３６】
上記ガラス管挟持部８１は図６に示すように、連結部８１ａ、抱き込み部８１ｂ，誘い込み部８１ｃなどを有するガラス管挟持片８１Ｈを備えており、殊に同挟持片は、一方の側板８３ｂに連接された上記連結部を他方の同側板方向（Ｙ方向）に延ばし、且つその先に半円弧状の上記抱き込み部を連結して成り、さらに同挟持片が３本あって互いに交差する如く配されている。換言すれば、同挟持部はＸ字状を呈している。
【００３７】
また芯線挟持部８２も同様に、連結部８２ａ、抱き込み部８２ｂ，誘い込み部８２ｃなどを有する芯線挟持片８２Ｈを備えており、同挟持片は、一方の側板８３ｂに連接された上記連結部を他方の同側板方向（Ｙ方向）に延ばし、且つその先にＬ字状の上記抱き込み部を連結して成り、さらに同挟持片は一対あって互いに交差する如く配されている。換言すれば、該挟持部もＸ字状を呈している。
【００３８】
そして、このガラス管挟持部８１と芯線挟持部８２とは同軸線上に備えられ、図７に示すように、レバー８７を指でＹ方向に挟み込む事によって、ガラス管挟持片８１Ｈ及び芯線挟持片８２Ｈの抱きこみ部８１ｂ，８２ｂは離間する。この状態で蛍光灯３０をコネクタ７０にセットすれば、大きく離間した同抱きこみ部に同ガラス管及び芯線を無抵抗で載置する事ができる。そしてレバーを離すと、図８に示すように両挟持部８１，８２は、鋏の如く同ガラス管及び芯線を挟持し、蛍光灯３０をコネクタ７０内に固着する事ができる。
【００３９】
このように第二の実施形態では、ガラス管３２及び芯線３１を無抵抗でコネクタ７０内に載置する事ができるため、剛性の弱い芯線に曲げ力がかかる事は無く、よって専用ジグを用いずともコネクタへの取付け作業が可能となる。
【図面の簡単な説明】
【００４０】
【図１】液晶ディスプレイ（図示せず）の背面壁に配設される板状のフレーム１０の一部を、液晶ディスプレイ側から見た模型的斜視図である。
【図２】本発明の第一の実施形態に係るコネクタと蛍光灯と電源基板６０を示す斜視図である。
【図３】本発明の第一の実施形態に係るコネクタの各構成部品を示す分解斜視図である。
【図４】図１のＡ−Ａ斜視図である。
【図５】図１のＡ−Ａ断面図である。
【図６】本発明の第二の実施形態に係るコネクタの各構成部品を示す分解斜視図である。
【図７】本発明の第二の実施形態に係るコネクタの、蛍光灯を取り付ける前の状態を示す斜視図である。
【図８】本発明の第二の実施形態に係るコネクタの、蛍光灯を取り付けた後の状態を示す斜視図である。
【符号の説明】
【００４１】
１０  フレーム
１０ａ  孔
２０，７０  コネクタ
２１，７１  ハウジング
２１ｓ  主体部
２１ａ  主体上部
２１ｂ  主体下部
２１ｆ  フランジ
２２ａ，７２ａ  正面壁
２２ｂ  側面壁
２２ｃ  背面壁
２２ｄ  底面壁
２３  挿入窓
２４，７４  レール
２５  欠落部
２６  端子圧入溝
２７  基板受部
３０  蛍光灯
３１  芯線
３２  ガラス管
４０  第一端子
４１  ランス受部
４１ａ  基部
４１ｂ  凸部
４１ｃ  当接部
４２  幅広部
４２ａ  圧入部
４３  電源接触部
４３ａ  基部
４３ｂ  凸部
５０，８０  第二端子
５１，８１  ガラス管挟持部
５１Ｈ，８１Ｈ  ガラス管挟持片
５２，８２  芯線挟持部
５２Ｈ，８２Ｈ  芯線挟持片
５１ａ，５２ａ，８１ａ，８２ａ  連結部
５１ｂ，５２ｂ，８１ｂ，８２ｂ  抱き込み部
５１ｃ，５２ｃ，８１ｃ，８２ｃ  誘い込み部
５３  基部
５３ａ，８３ａ  連結板
５３ｂ，８３ｂ  側板
５４，８４  スライド爪
５５，８５  ランス
５５ａ  傾斜部
５５ｂ  先端部
５６，８６  ばね部
６０  電源基板
６１  凸状部
６１ａ  端部
７６  レバー欠損部
８７  レバー
【図１】
2010140776.tif 000003
【図２】
2010140776.tif 000004
【図３】
2010140776.tif 000005
【図４】
2010140776.tif 000006
【図５】
2010140776.tif 000007
【図６】
2010140776.tif 000008
【図７】
2010140776.tif 000009
【図８】
2010140776.tif 000010